(57)【特許請求の範囲】
【請求項１】
複数の反射面を持つポリゴンで反射偏向された光ビームにより、放射線画像が蓄積記録された輝尽性蛍光体を２次元的に走査して発生する光を検出することにより画像信号を得る放射線画像読取装置において、
被写体を配置しない状態で読み取った原画像データより、副走査方向に発生する副走査ムラを補正するための副走査補正データ、および回転多面鏡に起因するポリゴンムラを補正するためのポリゴン補正データを算出する第１の補正データ作成手段と、
前記ポリゴン補正データを用いて前記副走査補正データを補正することで、前記副走査補正データに含まれるポリゴンムラを除去した第２副走査補正データを算出する第２の補正データ作成手段と、
前記ポリゴン補正データおよび前記第２副走査補正データを記憶する記憶手段と、
前記記憶手段に記憶された各補正データより各画素毎の補正データを算出し、被写体を配置した状態で読み取った画像データに含まれるムラの補正を行なう補正手段と、
を備えたことを特徴とする放射線画像読取装置。
【請求項２】
複数の反射面を持つポリゴンで反射偏向された光ビームにより、放射線画像が蓄積記録された輝尽性蛍光体を２次元的に走査して発生する光を検出することにより画像信号を得る放射線画像読取装置において、
被写体を配置しない状態で読み取った原画像データより、主走査方向に発生する主走査ムラを補正するための主走査補正データ、副走査方向に発生する副走査ムラを補正するための副走査補正データ、および回転多面鏡に起因するポリゴンムラを補正するためのポリゴン補正データを算出する第１の補正データ作成手段と、
前記ポリゴン補正データを用いて前記副走査補正データを補正することで、前記副走査補正データに含まれるポリゴンムラを除去した第２副走査補正データを算出する第２の補正データ作成手段と、
前記主走査補正データ、前記ポリゴン補正データおよび前記第２副走査補正データを記憶する記憶手段と、
前記記憶手段に記憶された各補正データより各画素毎の補正データを算出し、被写体を配置した状態で読み取った画像データに含まれるムラの補正を行なう補正手段と、
を備えたことを特徴とする放射線画像読取装置。
【請求項３】
複数の反射面を持つポリゴンで反射偏向された光ビームにより、放射線画像が蓄積記録された輝尽性蛍光体を２次元的に走査して発生する光を検出することにより画像信号を得る放射線画像読取装置において、
被写体を配置しない状態で読み取った原画像データより、主走査方向に発生する主走査ムラを補正するための主走査補正データ、副走査方向に発生する副走査ムラを補正するための副走査補正データ、および回転多面鏡に起因するポリゴンムラを補正するためのポリゴン補正データを算出する第１の補正データ作成手段と、
前記ポリゴン補正データを用いて前記副走査補正データを補正することで、前記副走査補正データに含まれるポリゴンムラを除去した第２副走査補正データを算出する第２の補正データ作成手段と、
原画像データを前記主走査補正データおよび副走査補正データを用いて補正を行なって２次元的に発生する２次元ムラを補正するための２次元補正データを算出する第３の補正データ作成手段と、
前記主走査補正データ、前記ポリゴン補正データ、２次元補正データおよび前記第２副走査補正データを記憶する記憶手段と、
前記記憶手段に記憶された各補正データより各画素毎の補正データを算出し、被写体を配置した状態で読み取った画像データに含まれるムラの補正を行なう補正手段と、
を備えたことを特徴とする放射線画像読取装置。
【請求項４】
複数の反射面を持つポリゴンで反射偏向された光ビームにより、放射線画像が蓄積記録された輝尽性蛍光体を２次元的に走査して発生する光を検出することにより画像信号を得る放射線画像読取装置において、
被写体を配置しない状態で読み取った原画像データより、主走査方向に発生する主走査ムラ、および回転多面鏡に起因するポリゴンムラを補正するためのポリゴン補正データを補正するための主走査補正データを算出する第１の補正データ作成手段と、
原画像データについて前記主走査補正データを用いて補正を行って１次補正画像データを生成する１次補正画像データ作成手段と、
前記１次補正画像データより、副走査方向に発生する副走査ムラを補正するための副走査補正データを算出する第２の補正データ作成手段と、
前記ポリゴン補正データを用いて前記副走査補正データを補正することで、前記副走査補正データに含まれるポリゴンムラを除去した第２副走査補正データを算出する第３の補正データ作成手段と、
前記主走査補正データ、前記ポリゴン補正データ、および前記第２副走査補正データを記憶する記憶手段と、
前記記憶手段に記憶された各補正データより各画素毎の補正データを算出し、被写体を配置した状態で読み取った画像データに含まれるムラの補正を行なう補正手段と、
を備えたことを特徴とする放射線画像読取装置。
【請求項５】
複数の反射面を持つポリゴンで反射偏向された光ビームにより、放射線画像が蓄積記録された輝尽性蛍光体を２次元的に走査して発生する光を検出することにより画像信号を得る放射線画像読取装置において、
被写体を配置しない状態で読み取った原画像データより、主走査方向に発生する主走査ムラを補正するための主走査補正データ、および回転多面鏡に起因するポリゴンムラを補正するためのポリゴン補正データを算出する第１の補正データ作成手段と、
原画像データについて前記主走査補正データを用いて補正を行って１次補正画像データを生成する１次補正画像データ作成手段と、
前記１次補正画像データより、副走査方向に発生する副走査ムラを補正するための副走査補正データを算出する第２の補正データ作成手段と、
前記ポリゴン補正データを用いて前記副走査補正データを補正することで、前記副走査補正データに含まれるポリゴンムラを除去した第２副走査補正データを算出する第３の補正データ作成手段と、
原画像データを前記主走査補正データおよび副走査補正データを用いて補正を行なって２次元的に発生する２次元ムラを補正するための２次元補正データを算出する第４の補正データ作成手段と、
前記主走査補正データ、前記ポリゴン補正データ、２次元補正データおよび前記第２副走査補正データを記憶する記憶手段と、
前記記憶手段に記憶された各補正データより各画素毎の補正データを算出し、被写体を配置した状態で読み取った画像データに含まれるムラの補正を行なう補正手段と、
を備えたことを特徴とする放射線画像読取装置。
【請求項６】
複数の反射面を持つポリゴンで反射偏向された光ビームにより、放射線画像が蓄積記録された輝尽性蛍光体を２次元的に走査して発生する光を検出することにより画像信号を得る放射線画像読取装置において、
被写体を配置しない状態で読み取った原画像データより、主走査方向に発生する主走査ムラを補正するための主走査補正データ、および副走査方向に発生する副走査ムラを補正するための副走査補正データを算出する第１の補正データ作成手段と、
原画像データについて前記主走査補正データを用いて補正を行って１次補正画像データを生成する１次補正画像データ作成手段と、
前記１次補正画像データより、回転多面鏡に起因するポリゴンムラを補正するためのポリゴン補正データを算出する第２の補正データ作成手段と、
前記ポリゴン補正データを用いて前記副走査補正データを補正することで、前記副走査補正データに含まれるポリゴンムラを除去した第２副走査補正データを算出する第３の補正データ作成手段と、
前記主走査補正データ、前記ポリゴン補正データ、および前記第２副走査補正データを記憶する記憶手段と、
前記記憶手段に記憶された各補正データより各画素毎の補正データを算出し、被写体を配置した状態で読み取った画像データに含まれるムラの補正を行なう補正手段と、
を備えたことを特徴とする放射線画像読取装置。
【請求項７】
複数の反射面を持つポリゴンで反射偏向された光ビームにより、放射線画像が蓄積記録された輝尽性蛍光体を２次元的に走査して発生する光を検出することにより画像信号を得る放射線画像読取装置において、
被写体を配置しない状態で読み取った原画像データより、主走査方向に発生する主走査ムラを補正するための主走査補正データ、および副走査方向に発生する副走査ムラを補正するための副走査補正データを算出する第１の補正データ作成手段と、
原画像データについて前記主走査補正データを用いて補正を行って１次補正画像データを生成する１次補正画像データ作成手段と、
前記１次補正画像データより、回転多面鏡に起因するポリゴンムラを補正するためのポリゴン補正データを算出する第２の補正データ作成手段と、
前記ポリゴン補正データを用いて前記副走査補正データを補正することで、前記副走査補正データに含まれるポリゴンムラを除去した第２副走査補正データを算出する第３の補正データ作成手段と、
原画像データを前記主走査補正データおよび副走査補正データを用いて補正を行なって２次元的に発生する２次元ムラを補正するための２次元補正データを算出する第４の補正データ作成手段と、
前記主走査補正データ、前記ポリゴン補正データ、２次元補正データおよび前記第２副走査補正データを記憶する記憶手段と、
前記記憶手段に記憶された各補正データより各画素毎の補正データを算出し、被写体を配置した状態で読み取った画像データに含まれるムラの補正を行なう補正手段と、
を備えたことを特徴とする放射線画像読取装置。
【請求項８】
複数の反射面を持つポリゴンで反射偏向された光ビームにより、放射線画像が蓄積記録された輝尽性蛍光体を２次元的に走査して発生する光を検出することにより画像信号を得る放射線画像読取装置において、
被写体を配置しない状態で読み取った原画像データより、主走査方向に発生する主走査ムラを補正するための主走査補正データを算出する第１の補正データ作成手段と、
原画像データについて前記主走査補正データを用いて補正を行って１次補正画像データを生成する１次補正画像データ作成手段と、
前記１次補正画像データより、副走査方向に発生する副走査ムラを補正するための副走査補正データ、および回転多面鏡に起因するポリゴンムラを補正するためのポリゴン補正データを算出する第２の補正データ作成手段と、
前記ポリゴン補正データを用いて前記副走査補正データを補正することで、前記副走査補正データに含まれるポリゴンムラを除去した第２副走査補正データを算出する第３の補正データ作成手段と、
前記主走査補正データ、前記ポリゴン補正データ、および前記第２副走査補正データを記憶する記憶手段と、
前記記憶手段に記憶された各補正データより各画素毎の補正データを算出し、被写体を配置した状態で読み取った画像データに含まれるムラの補正を行なう補正手段と、
を備えたことを特徴とする放射線画像読取装置。
【請求項９】
複数の反射面を持つポリゴンで反射偏向された光ビームにより、放射線画像が蓄積記録された輝尽性蛍光体を２次元的に走査して発生する光を検出することにより画像信号を得る放射線画像読取装置において、
被写体を配置しない状態で読み取った原画像データより、主走査方向に発生する主走査ムラを補正するための主走査補正データを算出する第１の補正データ作成手段と、
原画像データについて前記主走査補正データを用いて補正を行って１次補正画像データを生成する１次補正画像データ作成手段と、
前記１次補正画像データより、副走査方向に発生する副走査ムラを補正するための副走査補正データ、および回転多面鏡に起因するポリゴンムラを補正するためのポリゴン補正データを算出する第２の補正データ作成手段と、
前記ポリゴン補正データを用いて前記副走査補正データを補正することで、前記副走査補正データに含まれるポリゴンムラを除去した第２副走査補正データを算出する第３の補正データ作成手段と、
原画像データを前記主走査補正データおよび副走査補正データを用いて補正を行なって２次元的に発生する２次元ムラを補正するための２次元補正データを算出する第４の補正データ作成手段と、
前記主走査補正データ、前記ポリゴン補正データ、２次元補正データおよび前記第２副走査補正データを記憶する記憶手段と、
前記記憶手段に記憶された各補正データより各画素毎の補正データを算出し、被写体を配置した状態で読み取った画像データに含まれるムラの補正を行なう補正手段と、
を備えたことを特徴とする放射線画像読取装置。
【請求項１０】
前記第２の補正データ作成手段が算出するポリゴン補正データは、回転多面鏡の各反射面毎に補正するための補正データである、
ことを特徴とする請求項１乃至請求項９のいずれかに記載の放射線画像読取装置。
【請求項１１】
前記第２の補正データ作成手段が算出するポリゴン補正データは、回転多面鏡の各反射面毎、かつ、主走査の位置毎に補正するための補正データである、
ことを特徴とする請求項１乃至請求項９のいずれかに記載の放射線画像読取装置。
【請求項１２】
前記記憶手段は、各補正データまたは各画素毎の補正データをあらかじめ記憶しておき、
前記補正手段は、前記記憶手段に記憶された補正データを用いて、被写体を配置した状態で読み取った画像データに含まれるムラの補正を行なう、
ことを特徴とする請求項１乃至請求項１１のいずれかに記載の放射線画像読取装置。
【発明の詳細な説明】
【０００１】
【発明の属する技術分野】
本発明は放射線画像情報を光学的に読み取る放射線画像読取装置に関し、特に輝尽性蛍光体を使用した読取装置のように、精細な濃淡情報を正確に再現する必要がある読取装置における読取画像データの補正技術に関する。
【０００２】
【従来の技術】
図１１は、輝尽性蛍光体プレートへの画像（例えば、医療用診断画像）の記録方法を示す模式図である。
【０００３】
Ｘ線源１から出射されたＸ線は、絞り２によって絞られた後、被写体３に照射される。被写体３を透過したＸ線は、輝尽性蛍光体プレート４に入射し、これによって、被写体３の画像の潜像が輝尽性蛍光体プレート４に形成される。
【０００４】
この潜像の画像化は、励起光としてのレーザ光を走査して輝尽性蛍光体プレート４を励起し、蓄積している潜像エネルギーを蛍光として放射させ、この蛍光を集光器により集光し、光電子増倍管（フォトマルチプライヤ）を備えた光検出器により検出し、得られるアナログ電気信号をＡ／Ｄ変換してデジタル化した後、そのデータに所定の信号処理を施す、ことにより行われる。
【０００５】
本発明者は、より高精度な画像再現を行うために、読取画像データの補正技術について検討したが、その結果として以下の事項が明らかとなった。
補正の種類としては、集光系及び光学系によるムラ（シェーディング）の補正の他に、蛍光体の発光強度が時間経過とともに減衰するフェーディングに対する補正が必要である。
【０００６】
また、例えば、図１２（ア）に示すようなポリゴン３５（反射面としてＡ面〜Ｈ面を持つ）を用いて光ビームを走査する場合、同図（イ）に例示されるように、Ａ面と他の面（例えばＥ面）とでは反射率に差があり、その結果、輝尽性蛍光体プレートの同じ位置を走査したとしても、Ａ面を使用した場合とＥ面を使用した場合とでは、輝尽性蛍光体プレートに達するレーザパワーが相違し、それによって、検出する信号レベルと面内での分布内容が相違する。また、各反射面毎の倒れ角の違いによっても信号レベルが相違する。従って、使用するポリゴン面を意識した補正を行う必要がある。
【０００７】
また、図１２（ウ）に示すように、輝尽性蛍光体プレート４には、２次元的な感度ムラ（あるいはＸ線ムラに起因するムラ）が存在し、高精度化をねらう場合は、この２次元ムラに対する補正が必要である。
【０００８】
すなわち、輝尽性蛍光体を用いた放射線画像読取装置では、以下に列挙するような要因による各種の画像ムラが発生する。
▲１▼主走査方向ムラ：
集光系ムラ、光学系によるムラ（励起光のパワー変動、走査速度ムラ）、輝尽性蛍光体プレート感度ムラ。
【０００９】
▲２▼副走査方向ムラ：
輝尽性蛍光体のフェーディング、Ｘ線のヒール効果（特性に基づくムラ）、読取ユニットの移動ムラ、輝尽性蛍光体プレート感度ムラ（全て副走査位置に起因）。
【００１０】
▲３▼２次元ムラ：
輝尽性蛍光体プレート感度ムラ、Ｘ線の照度ムラ。
▲４▼ポリゴンムラ：
ポリゴンミラーの各反射面毎の反射率差及び同一面内での反射率差、ポリゴンの倒れによるムラ。
【００１１】
以上のような各種のムラを補正するために、以下のようないくつかの提案がなされている。
(1) 特開昭６３−１５３０４８号公報には、被写体を置かずに撮影したベタ画像を用いて被写体を置いて撮影した画像を補正する技術が開示されている。また、特開昭６３−１５８５３６号公報には、被写体を置かずに撮影したベタ画像から主走査、副走査方向の補正データを求めて記憶しておき、被写体を置いて撮影した画像を補正する技術が開示されている。
【００１２】
(2) 特開平２−５８９７３号公報には、ポリゴンに起因するムラを除去する技術が記載されている。
(3) 特開平７−２９５１２１号公報には、ポリゴンの反射面毎に、またポリゴンの反射面毎かつ主走査方向の各装置位置毎に補正する第１の補正データを作成し、該第１の補正データで画像を補正することにより、輝尽性蛍光体に起因するムラを補正するための第２の補正データを作成する、技術が開示されている。
【００１３】
(4) 特開平９−１１３８３６号公報には、被写体を置かずに撮影したベタ画像から、主走査方向の第１の補正データを作成し、該第１の補正データで画像を補正することにより１次補正画像を作成し、ポリゴンの反射面毎かつ主走査方向の各装置位置毎に補正する第２の補正データを作成し、該第２の補正データで１次補正画像を補正することにより２次補正画像を作成し、副走査方向の第３の補正データで２次補正画像を補正することにより２次元ムラ補正データ（間引き補正データ）を作成し、これら全ての補正データに基づいて画素毎の補正データを作成する、技術が開示されている。この様子を模式的に図１３に示す。
【００１４】
(5) さらに、特開平９−５５８２９号公報や本件出願人が出願した特願平８−２６７１１２号の特許出願には、副走査補正データに対して、スムージング処理を行なうことで、ポリゴンムラなどの位置再現性のないムラの影響を除く、技術が開示されている。なお、この場合も、全ての補正データに基づいて画素毎の補正データを作成する。この様子を図１４に示す。
【００１５】
【発明が解決しようとする課題】
上記(1) の特開昭６３−１５３０４８号公報、特開昭６３−１５８５３６号公報に記載の技術では、ポリゴンによるムラが考慮されていないためポリゴンムラが補正されないという問題がある。
【００１６】
上記(2) の特開平２−５８９７３号公報の記載の技術では、ポリゴンに起因するムラを除去している。しかし、この技術に上記(1)を単に組合わせただけでは、副走査方向の補正データにポリゴンムラが重畳してしまい、十分なムラ補正ができないという問題が生じる。
【００１７】
図１５はこの問題点の説明図である。この図１５において、ｆ0はポリゴン補正データであり、（ａ）はｆ0の周波数スペクトル、ｆ1は副走査補正データであり、（ｂ）はｆ1の周波数スペクトル、ｆ2は画像データであり、（ｃ）はｆ2の周波数スペクトル、ｆ3は補正後の画像データであり、（ｄ）はｆ3の周波数スペクトルである。ここで、ｆ1〜ｆ3の縦軸は画像データの大きさを示し、横軸は位置を示している。また、周波数スペクトルの縦軸は強度、横軸は空間周波数である。
【００１８】
この図１５の例では、比較的ゆるやかな変化で位置再現性のあるムラと、比較的急な変化で一定の周期で現れる位置再現性のあるムラとポリゴンムラが混在する場合を示している。位置再現性のあるムラは、補正データｆ1と画像データｆ2で同様に現れるので、補正後の画像データｆ3ではうまく補正されている。
【００１９】
一方、ポリゴンムラ補正していない画像データからｆ1副走査補正データを作成しているので、副走査補正データにポリゴンムラがのった状態になる（図１５（ｂ）▲１▼）。
【００２０】
補正データ作成用の画像の読み取りと、実際の画像の読み取りで、必ずしも同じポリゴン面から読み取りを開始するとは限らない。この結果、図においてｆ1とｆ2とのピーク位置に違いが生じている。ポリゴンに起因するムラのみを抽出したポリゴン補正データは、読み取り開始時のポリゴン面を検出することによって、記憶しておいた補正データの位相をずらして補正することが可能である（ｆ2に合せてｆ0をシフトさせる）。しかし、副走査補正データは、本来の目的である位置再現性のあるムラを除去するために、位相をずらすことができないから、副走査補正データに重畳してしまったポリゴンムラのパターンは常に同じ場所に現れる。
【００２１】
このため、補正後の画像データｆ3にも、ポリゴンムラが残った状態になる（図１５（ｄ））。
また、上記(3)や(4)の技術では、ポリゴンムラ補正した画像データからｆ1副走査補正データを作成しているので、副走査補正データにポリゴンムラがのっていない状態になる（図１６（ｂ））。このため、補正後の画像データｆ3には、ポリゴンムラが含まれない状態になる（図１６（ｄ））。このように、補正精度が良い反面、画像データに対してポリゴンムラ補正を行ってから副走査補正データを作成しているので、補正データ作成演算に多くの時間を要するという不具合が生じる。
【００２２】
そして、上記(5)の技術では、スムージング処理を行なうことで、ポリゴンムラなどの位置再現性のないムラの影響を除いているため、副走査補正データから、ポリゴンムラ以外のムラも除かれてしまうという問題がある（図１７（ｂ）▲１▼→（ｃ）▲２▼）。
【００２３】
この結果、画像データに含まれるポリゴンムラ以外のムラ（図１７（ｄ）▲３▼）が、補正後の画像データにも補正されずに残ってしまうという問題を有している（図１７（ｅ）▲４▼）。
【００２４】
また、副走査方向には、位置に起因する副走査ムラと、偏向したポリゴン面に起因するムラが存在するため、ポリゴン面と副走査位置を特定し、補正データ作成用画像と実際の読み取り画像で関係を一致させる方法もあるが、副走査の制御は極めて困難である。
【００２５】
本発明はこのような課題に鑑みてなされたものであって、主走査ムラ、副走査ムラ、ポリゴンムラ及び２次元ムラの全ての補正を容易かつ正確に行なうことができる放射線画像読取装置を提供することを目的としている。
【００２６】
【課題を解決するための手段】
（１）請求項１記載の発明は、複数の反射面を持つポリゴンで反射偏向された光ビームにより、放射線画像が蓄積記録された輝尽性蛍光体を２次元的に走査して発生する光を検出することにより画像信号を得る放射線画像読取装置において、被写体を配置しない状態で読み取った原画像データより、副走査方向に発生する副走査ムラを補正するための副走査補正データ、および回転多面鏡に起因するポリゴンムラを補正するためのポリゴン補正データを算出する第１の補正データ作成手段と、前記ポリゴン補正データを用いて前記副走査補正データを補正することで、前記副走査補正データに含まれるポリゴンムラを除去した第２副走査補正データを算出する第２の補正データ作成手段と、前記ポリゴン補正データおよび前記第２副走査補正データを記憶する記憶手段と、前記記憶手段に記憶された各補正データより各画素毎の補正データを算出し、被写体を配置した状態で読み取った画像データに含まれるムラの補正を行なう補正手段と、を備えたことを特徴とする放射線画像読取装置である。
【００２７】
この放射線画像読取装置では、ポリゴン補正データと１次元の副走査補正データを作成し、その副走査補正データに対してポリゴンムラ補正を行っているので、ポリゴンムラの影響の無い第２副走査補正データを得ることができる。
【００２８】
したがって、補正データ作成に必要な演算回数が大幅に減り、演算時間の短縮ができるとともに、ポリゴン補正データと、ポリゴンムラの除去された第２副走査補正データとにより画像データを補正することで、正確なムラ補正を行なうことができる。
【００２９】
（２）請求項２記載の発明は、複数の反射面を持つポリゴンで反射偏向された光ビームにより、放射線画像が蓄積記録された輝尽性蛍光体を２次元的に走査して発生する光を検出することにより画像信号を得る放射線画像読取装置において、被写体を配置しない状態で読み取った原画像データより、主走査方向に発生する主走査ムラを補正するための主走査補正データ、副走査方向に発生する副走査ムラを補正するための副走査補正データ、および回転多面鏡に起因するポリゴンムラを補正するためのポリゴン補正データを算出する第１の補正データ作成手段と、前記ポリゴン補正データを用いて前記副走査補正データを補正することで、前記副走査補正データに含まれるポリゴンムラを除去した第２副走査補正データを算出する第２の補正データ作成手段と、前記主走査補正データ、前記ポリゴン補正データおよび前記第２副走査補正データを記憶する記憶手段と、前記記憶手段に記憶された各補正データより各画素毎の補正データを算出し、被写体を配置した状態で読み取った画像データに含まれるムラの補正を行なう補正手段と、を備えたことを特徴とする放射線画像読取装置である。
【００３０】
この放射線画像読取装置では、主走査補正データ，ポリゴン補正データ，１次元の副走査補正データを作成し、その副走査補正データに対してポリゴンムラ補正を行っているので、ポリゴンムラの影響の無い第２副走査補正データを得ることができる。
【００３１】
したがって、補正データ作成に必要な演算回数が大幅に減り、演算時間の短縮ができるとともに、ポリゴン補正データ，主走査補正データ，ポリゴンムラの除去された第２副走査補正データにより画像データを補正することで、正確なムラ補正を行なうことができる。
【００３２】
（３）請求項３記載の発明は、複数の反射面を持つポリゴンで反射偏向された光ビームにより、放射線画像が蓄積記録された輝尽性蛍光体を２次元的に走査して発生する光を検出することにより画像信号を得る放射線画像読取装置において、被写体を配置しない状態で読み取った原画像データより、主走査方向に発生する主走査ムラを補正するための主走査補正データ、副走査方向に発生する副走査ムラを補正するための副走査補正データ、および回転多面鏡に起因するポリゴンムラを補正するためのポリゴン補正データを算出する第１の補正データ作成手段と、前記ポリゴン補正データを用いて前記副走査補正データを補正することで、前記副走査補正データに含まれるポリゴンムラを除去した第２副走査補正データを算出する第２の補正データ作成手段と、原画像データを前記主走査補正データおよび副走査補正データを用いて補正を行なって２次元的に発生する２次元ムラを補正するための２次元補正データを算出する第３の補正データ作成手段と、前記主走査補正データ、前記ポリゴン補正データ、２次元補正データおよび前記第２副走査補正データを記憶する記憶手段と、前記記憶手段に記憶された各補正データより各画素毎の補正データを算出し、被写体を配置した状態で読み取った画像データに含まれるムラの補正を行なう補正手段と、を備えたことを特徴とする放射線画像読取装置である。
【００３３】
この放射線画像読取装置では、主走査補正データ，ポリゴン補正データ，１次元の副走査補正データ，２次元補正データを作成し、その副走査補正データに対してポリゴンムラ補正を行っているので、ポリゴンムラの影響の無い第２副走査補正データを得ることができる。
【００３４】
したがって、補正データ作成に必要な演算回数が大幅に減り、演算時間の短縮ができるとともに、ポリゴン補正データ，主走査補正データ，ポリゴンムラの除去された第２副走査補正データ，２次元補正データにより画像データを補正することで、正確なムラ補正を行なうことができる。
【００３５】
（４）請求項４記載の発明は、複数の反射面を持つポリゴンで反射偏向された光ビームにより、放射線画像が蓄積記録された輝尽性蛍光体を２次元的に走査して発生する光を検出することにより画像信号を得る放射線画像読取装置において、被写体を配置しない状態で読み取った原画像データより、主走査方向に発生する主走査ムラ、および回転多面鏡に起因するポリゴンムラを補正するためのポリゴン補正データを補正するための主走査補正データを算出する第１の補正データ作成手段と、原画像データについて前記主走査補正データを用いて補正を行って１次補正画像データを生成する１次補正画像データ作成手段と、前記１次補正画像データより、副走査方向に発生する副走査ムラを補正するための副走査補正データを算出する第２の補正データ作成手段と、前記ポリゴン補正データを用いて前記副走査補正データを補正することで、前記副走査補正データに含まれるポリゴンムラを除去した第２副走査補正データを算出する第３の補正データ作成手段と、前記主走査補正データ、前記ポリゴン補正データ、および前記第２副走査補正データを記憶する記憶手段と、前記記憶手段に記憶された各補正データより各画素毎の補正データを算出し、被写体を配置した状態で読み取った画像データに含まれるムラの補正を行なう補正手段と、を備えたことを特徴とする放射線画像読取装置である。
【００３６】
この放射線画像読取装置では、主走査補正データ，ポリゴン補正データ，１次元の副走査補正データを作成し、その副走査補正データに対してポリゴンムラ補正を行っているので、ポリゴンムラの影響の無い第２副走査補正データを得ることができる。
【００３７】
したがって、補正データ作成に必要な演算回数が大幅に減り、演算時間の短縮ができるとともに、ポリゴン補正データ，主走査補正データ，ポリゴンムラの除去された第２副走査補正データにより画像データを補正することで、正確なムラ補正を行なうことができる。
【００３８】
（５）請求項５記載の発明は、複数の反射面を持つポリゴンで反射偏向された光ビームにより、放射線画像が蓄積記録された輝尽性蛍光体を２次元的に走査して発生する光を検出することにより画像信号を得る放射線画像読取装置において、被写体を配置しない状態で読み取った原画像データより、主走査方向に発生する主走査ムラを補正するための主走査補正データ、および回転多面鏡に起因するポリゴンムラを補正するためのポリゴン補正データを算出する第１の補正データ作成手段と、原画像データについて前記主走査補正データを用いて補正を行って１次補正画像データを生成する１次補正画像データ作成手段と、前記１次補正画像データより、副走査方向に発生する副走査ムラを補正するための副走査補正データを算出する第２の補正データ作成手段と、前記ポリゴン補正データを用いて前記副走査補正データを補正することで、前記副走査補正データに含まれるポリゴンムラを除去した第２副走査補正データを算出する第３の補正データ作成手段と、原画像データを前記主走査補正データおよび副走査補正データを用いて補正を行なって２次元的に発生する２次元ムラを補正するための２次元補正データを算出する第４の補正データ作成手段と、前記主走査補正データ、前記ポリゴン補正データ、２次元補正データおよび前記第２副走査補正データを記憶する記憶手段と、前記記憶手段に記憶された各補正データより各画素毎の補正データを算出し、被写体を配置した状態で読み取った画像データに含まれるムラの補正を行なう補正手段と、を備えたことを特徴とする放射線画像読取装置である。
【００３９】
この放射線画像読取装置では、主走査補正データ，ポリゴン補正データ，１次元の副走査補正データ，２次元補正データを作成し、その副走査補正データに対してポリゴンムラ補正を行っているので、ポリゴンムラの影響の無い第２副走査補正データを得ることができる。
【００４０】
したがって、補正データ作成に必要な演算回数が大幅に減り、演算時間の短縮ができるとともに、ポリゴン補正データ，主走査補正データ，ポリゴンムラの除去された第２副走査補正データ，２次元補正データにより画像データを補正することで、正確なムラ補正を行なうことができる。
【００４１】
（６）請求項６記載の発明は、複数の反射面を持つポリゴンで反射偏向された光ビームにより、放射線画像が蓄積記録された輝尽性蛍光体を２次元的に走査して発生する光を検出することにより画像信号を得る放射線画像読取装置において、被写体を配置しない状態で読み取った原画像データより、主走査方向に発生する主走査ムラを補正するための主走査補正データ、および副走査方向に発生する副走査ムラを補正するための副走査補正データを算出する第１の補正データ作成手段と、原画像データについて前記主走査補正データを用いて補正を行って１次補正画像データを生成する１次補正画像データ作成手段と、前記１次補正画像データより、回転多面鏡に起因するポリゴンムラを補正するためのポリゴン補正データを算出する第２の補正データ作成手段と、前記ポリゴン補正データを用いて前記副走査補正データを補正することで、前記副走査補正データに含まれるポリゴンムラを除去した第２副走査補正データを算出する第３の補正データ作成手段と、前記主走査補正データ、前記ポリゴン補正データ、および前記第２副走査補正データを記憶する記憶手段と、前記記憶手段に記憶された各補正データより各画素毎の補正データを算出し、被写体を配置した状態で読み取った画像データに含まれるムラの補正を行なう補正手段と、を備えたことを特徴とする放射線画像読取装置である。
【００４２】
この放射線画像読取装置では、主走査補正データ，ポリゴン補正データ，１次元の副走査補正データを作成し、その副走査補正データに対してポリゴンムラ補正を行っているので、ポリゴンムラの影響の無い第２副走査補正データを得ることができる。
【００４３】
したがって、補正データ作成に必要な演算回数が大幅に減り、演算時間の短縮ができるとともに、ポリゴン補正データ，主走査補正データ，ポリゴンムラの除去された第２副走査補正データにより画像データを補正することで、正確なムラ補正を行なうことができる。
【００４４】
（７）請求項７記載の発明は、複数の反射面を持つポリゴンで反射偏向された光ビームにより、放射線画像が蓄積記録された輝尽性蛍光体を２次元的に走査して発生する光を検出することにより画像信号を得る放射線画像読取装置において、被写体を配置しない状態で読み取った原画像データより、主走査方向に発生する主走査ムラを補正するための主走査補正データ、および副走査方向に発生する副走査ムラを補正するための副走査補正データを算出する第１の補正データ作成手段と、原画像データについて前記主走査補正データを用いて補正を行って１次補正画像データを生成する１次補正画像データ作成手段と、前記１次補正画像データより、回転多面鏡に起因するポリゴンムラを補正するためのポリゴン補正データを算出する第２の補正データ作成手段と、前記ポリゴン補正データを用いて前記副走査補正データを補正することで、前記副走査補正データに含まれるポリゴンムラを除去した第２副走査補正データを算出する第３の補正データ作成手段と、原画像データを前記主走査補正データおよび副走査補正データを用いて補正を行なって２次元的に発生する２次元ムラを補正するための２次元補正データを算出する第４の補正データ作成手段と、前記主走査補正データ、前記ポリゴン補正データ、２次元補正データおよび前記第２副走査補正データを記憶する記憶手段と、前記記憶手段に記憶された各補正データより各画素毎の補正データを算出し、被写体を配置した状態で読み取った画像データに含まれるムラの補正を行なう補正手段と、を備えたことを特徴とする放射線画像読取装置である。
【００４５】
この放射線画像読取装置では、主走査補正データ，ポリゴン補正データ，１次元の副走査補正データ，２次元補正データを作成し、その副走査補正データに対してポリゴンムラ補正を行っているので、ポリゴンムラの影響の無い第２副走査補正データを得ることができる。
【００４６】
したがって、補正データ作成に必要な演算回数が大幅に減り、演算時間の短縮ができるとともに、ポリゴン補正データ，主走査補正データ，ポリゴンムラの除去された第２副走査補正データ，２次元補正データにより画像データを補正することで、正確なムラ補正を行なうことができる。
【００４７】
（８）請求項８記載の発明は、複数の反射面を持つポリゴンで反射偏向された光ビームにより、放射線画像が蓄積記録された輝尽性蛍光体を２次元的に走査して発生する光を検出することにより画像信号を得る放射線画像読取装置において、被写体を配置しない状態で読み取った原画像データより、主走査方向に発生する主走査ムラを補正するための主走査補正データを算出する第１の補正データ作成手段と、原画像データについて前記主走査補正データを用いて補正を行って１次補正画像データを生成する１次補正画像データ作成手段と、前記１次補正画像データより、副走査方向に発生する副走査ムラを補正するための副走査補正データ、および回転多面鏡に起因するポリゴンムラを補正するためのポリゴン補正データを算出する第２の補正データ作成手段と、前記ポリゴン補正データを用いて前記副走査補正データを補正することで、前記副走査補正データに含まれるポリゴンムラを除去した第２副走査補正データを算出する第３の補正データ作成手段と、前記主走査補正データ、前記ポリゴン補正データ、および前記第２副走査補正データを記憶する記憶手段と、前記記憶手段に記憶された各補正データより各画素毎の補正データを算出し、被写体を配置した状態で読み取った画像データに含まれるムラの補正を行なう補正手段と、を備えたことを特徴とする放射線画像読取装置である。
【００４８】
この放射線画像読取装置では、主走査補正データ，ポリゴン補正データ，１次元の副走査補正データを作成し、その副走査補正データに対してポリゴンムラ補正を行っているので、ポリゴンムラの影響の無い第２副走査補正データを得ることができる。
【００４９】
したがって、補正データ作成に必要な演算回数が大幅に減り、演算時間の短縮ができるとともに、ポリゴン補正データ，主走査補正データ，ポリゴンムラの除去された第２副走査補正データにより画像データを補正することで、正確なムラ補正を行なうことができる。
【００５０】
（９）請求項９記載の発明は、複数の反射面を持つポリゴンで反射偏向された光ビームにより、放射線画像が蓄積記録された輝尽性蛍光体を２次元的に走査して発生する光を検出することにより画像信号を得る放射線画像読取装置において、被写体を配置しない状態で読み取った原画像データより、主走査方向に発生する主走査ムラを補正するための主走査補正データを算出する第１の補正データ作成手段と、原画像データについて前記主走査補正データを用いて補正を行って１次補正画像データを生成する１次補正画像データ作成手段と、前記１次補正画像データより、副走査方向に発生する副走査ムラを補正するための副走査補正データ、および回転多面鏡に起因するポリゴンムラを補正するためのポリゴン補正データを算出する第２の補正データ作成手段と、前記ポリゴン補正データを用いて前記副走査補正データを補正することで、前記副走査補正データに含まれるポリゴンムラを除去した第２副走査補正データを算出する第３の補正データ作成手段と、原画像データを前記主走査補正データおよび副走査補正データを用いて補正を行なって２次元的に発生する２次元ムラを補正するための２次元補正データを算出する第４の補正データ作成手段と、前記主走査補正データ、前記ポリゴン補正データ、２次元補正データおよび前記第２副走査補正データを記憶する記憶手段と、前記記憶手段に記憶された各補正データより各画素毎の補正データを算出し、被写体を配置した状態で読み取った画像データに含まれるムラの補正を行なう補正手段と、を備えたことを特徴とする放射線画像読取装置である。
【００５１】
この放射線画像読取装置では、主走査補正データ，ポリゴン補正データ，１次元の副走査補正データ，２次元補正データを作成し、その副走査補正データに対してポリゴンムラ補正を行っているので、ポリゴンムラの影響の無い第２副走査補正データを得ることができる。
【００５２】
したがって、補正データ作成に必要な演算回数が大幅に減り、演算時間の短縮ができるとともに、ポリゴン補正データ，主走査補正データ，ポリゴンムラの除去された第２副走査補正データ，２次元補正データにより画像データを補正することで、正確なムラ補正を行なうことができる。
【００５３】
（１０）請求項１０記載の発明は、（１）〜（９）の放射線画像読取装置において、前記第２の補正データ作成手段が算出するポリゴン補正データは、回転多面鏡の各反射面毎に補正するための補正データである、ことを特徴とする。
【００５４】
この放射線画像読取装置において、ポリゴン補正データは、回転多面鏡の各反射面毎に補正するための補正データであるため、各反射面毎のポリゴンムラの影響の無い第２副走査補正データを得ることができる。
【００５５】
（１１）請求項１１記載の発明は、（１）〜（９）の放射線画像読取装置において、前記第２の補正データ作成手段が算出するポリゴン補正データは、回転多面鏡の各反射面毎、かつ、主走査の位置毎に補正するための補正データである、ことを特徴とする。
【００５６】
この放射線画像読取装置において、ポリゴン補正データは、回転多面鏡の各反射面毎、かつ、主走査の位置毎に補正するための補正データであるため、各反射面毎、かつ、主走査の位置毎の影響の無い第２副走査補正データを得ることができる。
【００５７】
（１２）請求項１２記載の発明は、１〜１１の放射線画像読取装置において、前記記憶手段は、各補正データまたは各画素毎の補正データをあらかじめ記憶しておき、前記補正手段は、前記記憶手段に記憶された補正データを用いて、被写体を配置した状態で読み取った画像データに含まれるムラの補正を行なう、ことを特徴とする。
【００５８】
この放射線画像読取装置では、一旦求めた補正データを記憶しておき、その補正データを用いて画像データのムラの補正を行なうことにより、毎回補正データを求める必要が無く、処理を迅速に行える。
【００５９】
（１３）なお、以上の（１）〜（１２）のそれぞれの場合で、第１〜第３の補正データ作成手段を、共通した単一の手段（単一のＣＰＵや処理プログラムなど）で構成することが可能である。
【００６０】
【発明の実施の形態】
以下、図面を参照して本発明の実施の形態例を詳細に説明する。
図１は本発明の一実施の形態例を示すブロック図である。図１１と同一のものは、同一の符号を付して示す。
【００６１】
また、図１において破線で囲んだ部分は輝尽性蛍光体プレート読取部２０であり、この輝尽性蛍光体プレート読取部２０の構成例を図２に示す。
まず、輝尽性蛍光体プレート読取部について説明すれば、図２において、輝尽性蛍光体プレート４は左側壁に固定されており、繰り返し使用される。読取ユニット３０は、ステッピングモータ等で構成された副走査モータ４１によるボールネジ４２の駆動により、ガイドシャフト４３に沿って移動し、走査線（光ビーム）３１を副走査方向にスキャンする。
【００６２】
主走査方向のスキャンはポリゴン走査機構３２により行われる。ポリゴン走査機構３２は、ポリゴンと該ポリゴンを回転させる機構を含む。副走査モータ４１の動作は、副走査モータ制御機構４５により制御される。蛍光は集光器５により集光され、フォトマル６により電気信号に変換されるようになっている。
【００６３】
ＬＤ１はレーザ光源，ＰＤ１はフォトセンサであり、原点位置検出センサを構成している。この原点位置検出センサは、読取ユニット３０の副走査方向の原点位置を検出するものである。フォトセンサＰＤ１の出力は、副走査モータ制御機構４５に入力され、副走査モータ制御機構４５は読取ユニット３０の停止位置を制御する。
【００６４】
ここで、図１により全体の説明を行なう。この図１において、１はＸ線を発生するＸ線源、２は該Ｘ線源１から発生するＸ線を絞る絞り、３は該絞り２によって絞られたＸ線を受ける被写体、４は該被写体３を透過したＸ線を受ける輝尽性蛍光体プレートである。該輝尽性蛍光体プレート４には、被写体透過Ｘ線を入射して潜像が形成されるようになっている。１３は潜像の読出し時にレーザ光を発生するレーザ光源、３２は該レーザ光源１３からのレーザ光を受けて、輝尽性蛍光体プレート４上をレーザ光で走査する光走査手段としてのポリゴン走査機構である。
【００６５】
５は輝尽性蛍光体プレート４から発生する蛍光を集光する集光器、６は該集光器５で集光された蛍光を光電変換するフォトマルチプライヤ（以下フォトマルと略す）である。７は該フォトマル６に管電圧を供給する電源である。
【００６６】
８はフォトマル６の出力を増幅するアンプ、９は該アンプ６の出力を対数圧縮増幅するログアンプ、１０は該ログアンプ９の出力を受けてノイズ成分を除去するフィルタ、１１は該フィルタ１０の出力をサンプリングしてホールドするサンプルホールド回路、１２は該サンプルホールド回路１１の出力（アナログ信号）をディジタル信号に変換するＡ／Ｄ変換器である。
【００６７】
ＳＷは、補正データ作成時の信号経路と実際の画像読み取り時の信号経路とを切替えるスイッチであり、補正データ作成時には共通接点をＡ接点側に、画像読み取り時にはＢ接点側に切替える。
【００６８】
１５はＡ／Ｄ変換器１２の出力データ（読取画像データ）と、読み取った画像データを後述の補正手段で補正した画像データを記憶するフレームメモリ、１６は該フレームメモリ１５に記憶されたデータを受けて所定の処理を行なうコントローラ、１７は該コントローラ１６を介して送られてくる画像データを出力するプリンタ、自動現像機等の周辺機器（略してプリンタ・自現機）である。画像データはまた、コントローラ１６を介してホストＣＰＵ（図示せず）に出力されるようになっている。
【００６９】
１４はタイミング回路であり、該タイミング回路１４は、サンプルホールド回路１１、Ａ／Ｄ変換器１２、後述の補正用データ作成手段５２及び補正データメモリ６０にそれぞれタイミングクロックを供給するものである。タイミング回路１４は、放射線画像の撮影条件に応じて読み取り時の読取画素サイズを決定する。例えば、予め決められた０．１ｍｍ，０．１５ｍｍ，０．２ｍｍの３種類の読取画素サイズの中から、１つの読取画素サイズを選択して設定し、該設定された読取画素サイズで読み取りを行わせるようにサンプルホールド回路１１へタイミングクロックを供給する。
【００７０】
５０は輝尽性蛍光体プレート読取部２０で読み取られ、Ａ／Ｄ変換器１２でディジタルデータに変換されたディジタル読取画像データを、各種のムラに基づく補正データで補正する補正手段である。
【００７１】
この補正手段５０は、読み取られた画像データを補正する補正回路５１と、読取画像データを補正するための各種補正データを作成する補正用データ作成手段５２と、主走査方向における補正データを記憶する主走査補正データメモリ５３と、ポリゴンに起因する補正データ（反射面毎かつ主走査方向補正データ）を記憶するポリゴン補正データメモリ５４ａと、ポリゴンに起因する補正データ（反射面毎の補正データ）を記憶するポリゴン補正データメモリ５４ｂと、副走査方向における補正データを記憶する副走査補正データメモリ５５と、２次元補正用の２次元ムラ補正データを記憶する間引きデータメモリ５６と、２次元ムラ補正データを補間して２次元ムラ補正データを作成する補間データ作成手段５７と、各メモリに記憶されている補正データを読み出して加算する加算手段５８と、補正データを計算する補正データ計算手段５９と、作成された補正データを格納する補正データメモリ６０とにより構成されている。このような補正手段５０は例えばマイクロプロセッサとメモリによって構成される。
【００７２】
なお、補正データ作成手段５２は、請求項における「第１の補正データ作成手段」〜「第４の補正データ作成手段」を構成している。
このように構成された装置の動作を説明すれば、以下の通りである。
【００７３】
（１）補正データ作成動作
図に示す回路は、切り替えスイッチＳＷをＡ接点側に投入した状態で、被写体なしのベタ画像をフレームメモリ１５に格納する。つまり、Ｘ線源１から発生するＸ線は被写体３を透過し、輝尽性蛍光体プレート４に入射して潜像が形成される。潜像の読み出し時には、輝尽性蛍光体プレート４上をポリゴン走査機構３２によりレーザ光で走査する。
【００７４】
この時、発生する蛍光は、続く集光器５により集光され、フォトマル６により光電変換される。該フォトマル６の出力信号は、アンプ８で増幅され、ログアンプ９で対数圧縮増幅され、フィルタ１０でノイズ成分が除去される。
【００７５】
そして、フィルタ１０の出力は、サンプルホールド回路１１によりタイミング回路１４からの発生タイミングによりサンプルホールドされる。該サンプルホールド回路１１の出力は、続くＡ／Ｄ変換器１２によりディジタルデータに変換され、切替えスイッチＳＷを介してフレームメモリ１５の所定の位置に格納される。以上の操作を主走査方向及び副走査方向に必要なだけ繰り返して、輝尽性蛍光体プレート４の全面に記録されている画像情報をディジタル画像データに変換し、フレームメモリ１５に格納する。
【００７６】
そして、補正用データ作成手段５２は、フレームメモリ１５に格納されているベタ画像データを読み出して、後述する各種のムラ補正データを作成し、主走査補正データメモリ５３，ポリゴン補正データメモリ５４ａ，ポリゴン面間補正データメモリ５４ｂ，副走査補正データメモリ５５及び間引きデータメモリ５６に記憶させる。
【００７７】
間引きデータメモリ５６には、ベタ画像データに所定の補正処理を加えた後、一定の規則に従ってサンプリングし、その周囲の画素データも加味したデータ（間引きデータ）から作成された２次元ムラ補正データが記憶される。補間データ作成手段５７は、間引きデータメモリ５６に記憶されている２次元ムラ補正データを読み出して、それに基づいて補間により２次元ムラ補正データを作成し、記憶する。この時、補間データ作成手段５７は、間引きデータメモリ５６に記憶されていない点の画像データの２次元ムラ補正データは、補間法を用いて作成する。
【００７８】
主走査補正データメモリ５３，ポリゴン補正データメモリ５４ａ，ポリゴン面間補正データメモリ５４ｂ，副走査補正データメモリ５５及び補間データ作成手段５７の出力は、加算手段５８により画素毎に加算される。補正データ計算手段５９は、読取画素サイズに適合した補正データを計算し、補正データメモリ６０に記憶する。このようにして、補正データメモリ６０には、読取画素毎に補正データが記憶される。
【００７９】
（２）実際の画像データの読み取り処理
前記（１）により補正データが求まったら、切替えスイッチＳＷをＢ側に投入し、被写体３を配置した状態で画像データの読み取りを行なう。読み取られた画像データは、Ａ／Ｄ変換器１２から補正回路５１に与えられる。該補正回路５１は、読み込んだ画像データから補正データメモリ６０に記憶されている対応する画素の補正データを減算し、補正後の画像データを求める。このようにして求まった補正後画像データは、順次フレームメモリ１５に格納されていく。本発明によれば、各種のムラをそれぞれ分離して求めるため、主走査ムラ、副走査ムラ、２次元ムラ及びポリゴンムラの全ての補正を容易に行なうことができる。
【００８０】
（３）ムラ補正データの作成
次に、補正用データ作成手段５２による各種のムラ補正データの作成方法について説明する。
【００８１】
被写体がない状態で、フレームメモリ１５に格納されたベタ画像データには、主走査ムラ、副走査ムラ、ポリゴンムラ、２次元ムラが混在している。そこで、本発明では、フレームメモリ１５に格納されているベタ画像データを基にこれらムラの補正データを分離して抽出する。
【００８２】
図３は画像データの画素配置例を示す図である。画像データの主走査方向及び副走査方向の画素数をそれぞれｉ，ｊとし、各画素データをＸuv（ｕ＝０，１…ｉ−１、ｖ＝０，１…ｊ−１）と表わすことにする。主走査方向をｘ方向、副走査方向をｙ方向とする。
【００８３】
ここで、ポリゴンの反射面数を１０とすると、副走査方向の画素は偏向を行なった反射面に応じて、１０ｎ、１０ｎ＋１、…  、１０ｎ＋９（ｎ＝０，１，…９）と１０グループに分けることができる。つまり、ポリゴンの同じ反射面を用いた画像データは、副走査方向の１０行毎に現れることになる。図３を用いて説明すると、１０ｎ行目の画素データと、１０ｎ＋１０行目の画素データは、同じポリゴン面を用いて得られる。図中の画像データＸuvは、ｕ列・ｖ行の画素データを表わす。
【００８４】
（３−１）主走査ムラ補正データの作成
読み取ったベタ画像データＸのｘ方向の各列の平均信号値を求め、Ａ0、Ａ1、…、Ａi-1とする。各列の平均信号値Ａkは次式で表される。
【００８５】
【数１】
0003738555.tif 000002
【００８６】
これによって、ベタ画像が例えば図４の（ａ）に斜線で示すような濃度ムラを有する場合、同図（ｂ）のような平均値Ａ0〜Ａi-1のプロファイルが得られる。図４（ｂ）において、縦軸は濃度レベル、横軸は主走査方向ｘである。ここで、Ａkの最小値をＡminとし、ＡkとＡminとの差Ｓkを求めると、Ｓkは次式で表される。
【００８７】
【数２】
0003738555.tif 000003
【００８８】
このことは、図４の（ｂ）について説明すれば、最小値Ａminから上の部分（斜線領域Ｓ）を切り出し、この切り出した部分を主走査ムラ補正データとするものである。このようにして求めた差Ｓkを主走査ムラ補正データＳ0、Ｓ1、…、Ｓi-1として主走査補正データメモリ５３に記憶する。
【００８９】
なお、この主走査ムラ補正データＳ0、Ｓ1、…、Ｓi-1は、読み出し画像データを減算により補正する場合の補正データであり、読み出し画像データを加算により補正する場合には、図４の（ｂ）の最大値Ａmaxからの差分（斜線領域Ｓ’）を補正データとすることができる。このことは、いちいち記述しないが、以降の補正データについても同様である。
【００９０】
（３−２）ポリゴンムラ補正データの作成
▲１▼反射面毎かつ主走査方向補正データ
読み取ったベタ画像データＸの０列に属する各画素から主走査ムラ補正データＳ0を減算する。同様に、１列、２列、…ｉ−１列に属する各画素からそれぞれ主走査ムラ補正データＳ1、Ｓ2、…、Ｓi-1を減算する。この処理は、ベタ画像を主走査ムラ補正データを用いて補正し、１次補正画像データＸ’を作成する処理である。１次補正画像データＸ’は次式で表される。
【００９１】
【数３】
0003738555.tif 000004
【００９２】
この式は、図３において、各画素データから０列に属する画素データについては、Ｓ0を減算し、１列に属する画素データについては、Ｓ1を減算することを示す。以下の列についても同様である。
【００９３】
このようにして求めた１次補正画像データＸ’の１０ｎ行に属するデータであって、かつ０列に属する全ての画素の平均信号値を求め、Ｄ0,0とする。同様にして、１０ｎ行に属するデータであって、かつ１列、２列、…、ｉ−１列に属する全ての画素の平均信号値を求め、それぞれＤ1,0、Ｄ2,0、…、Ｄi-1,0とする。
【００９４】
同様にして、１０ｎ＋１、１０ｎ＋２、…、１０ｎ＋９行に属し、かつ０列、１列，…、ｉ−１列に属する全ての画素の平均信号値を、Ｄ0,1〜Ｄi-1,1、Ｄ0,2〜Ｄi-1,2、…Ｄ0,9〜Ｄi-1,9とする。
【００９５】
このようにして求めた平均信号値Ｄk,n（ｋ＝０，１，…，ｉ−１、ｎ＝０，１，…，９）が、図４の（ｃ）に示すように得られたものとする。（ｃ）において縦軸は濃度レベル（平均値）、横軸は主走査方向ｘである。全ての平均信号値の最小値をＤminとし、Ｄk,nとＤminとの差を、ポリゴン面毎かつ主走査方向の補正データＰ0,0〜Ｐi-1,0、…、Ｐ0,9〜Ｐi-1,9としてポリゴン補正データメモリ５４ａに記憶する。
【００９６】
▲２▼反射面毎の補正データ
前述の▲１▼の場合と同様にして、１次補正画像データＸ’を作成する。次に、１次補正画像データＸ’の１０ｎ行に属する全ての画素の平均信号値を求めＤ0とする。同様に、１０ｎ＋１、１０ｎ＋２、…、１０ｎ＋９行に属する全ての画素の平均信号値を求め、Ｄ1、Ｄ2、…、Ｄ9とする。Ｄn（ｎ＝０，１，…，９）の最小値をＤminとし、ＤnとＤminとの差を、ポリゴン面毎の補正データＭ0、Ｍ1、…、Ｍ9として、ポリゴン面間補正データメモリ５４ｂに記憶する。
【００９７】
（３−３）副走査補正データの作成
読み取ったベタ画像データＸのｙ方向の各行の平均信号値を求め、Ｂ0、Ｂ1、…、Ｂj-1とする。各行の平均信号値Ｂlは次式で表される。
【００９８】
【数４】
0003738555.tif 000005
【００９９】
これによって、ベタ画像が例えば図４の（ａ）に斜線で示すような濃度ムラを有する場合、図４（ｄ）のような平均値Ｂ0〜Ｂj-1のプロファイルが得られる。ここで、Ｂlの最小値をＢminとし、ＢlとＢminとの差を求めると、差分データＣlは次式で表される。
【０１００】
【数５】
0003738555.tif 000006
【０１０１】
このことは、図４の（ｄ）について説明すれば、最小値Ｂminから上の部分（斜線領域Ｃ）を切り出し、この切り出した部分を差分データＣ0、Ｃ1、…、Ｃj-1とするものである。この差分データＣlを第１の副走査補正データとして、副走査補正データメモリ５５に記憶する。
【０１０２】
次に、以上の（５）式で求めた差分データＣlから、上述のポリゴン面間補正データＭn （n ＝0,1,…,9）を減算することにより、ポリゴンムラの影響が除去された第２副走査補正データＦlを求め、副走査補正データメモリ５５に記憶する。
【０１０３】
なお、この第２副走査補正データＦlは以下の式で求められる。
【０１０４】
【数６】
0003738555.tif 000007
【０１０５】
（３−４）２次元ムラ補正データの作成
図１２の（ウ）に示したように、輝尽性蛍光体プレート４には、２次元的な感度ムラがあり、このような感度ムラは、主走査方向のみならず、副走査方向も加味した２次元の補正を行なう必要がある。
【０１０６】
まず、読み取ったベタ画像データＸの０列に属する各画素から主走査ムラ補正データＳ0を減算する。同様に、１列、２列、…、ｉ−１列に属する各画素から主走査ムラ補正データＳ1、Ｓ2、…、Ｓi-1を減算する。
【０１０７】
同様にして、０行に属する各画素から副走査補正データＣ0を減算する。同様に、１行、２行、…、ｊ−１行に属する各画素から副走査補正データＣ1、Ｃ2、…、Ｃj-1を減算する。このようにして、ベタ画像データを、主走査、副走査補正データを用いて補正し、２次補正画像データＸ”を作成する。２次補正画像データＸ”は、次式で表される。
【０１０８】
【数７】
0003738555.tif 000008
【０１０９】
または、
【０１１０】
【数８】
0003738555.tif 000009
【０１１１】
以上の処理により、輝尽性蛍光体プレート全面にわたる２次補正画像データＸ”が求まったことになる。ここで、各画素から一定の法則に従って特定の画素を抽出する。図５は間引き画像データと補間方法の説明図である。図５では、主走査方向にＫ1〜Ｋ5の５個の間引きデータをとった場合を示している。副走査方向にも同様にして間引きデータを求める。
【０１１２】
この間引き画像データＫ1〜Ｋ5は、単に前述の２次補正画像データＸ”からサンプリングして求めるのではなく、サンプリングした点の周囲のＭ×Ｎ画素のデータを平均して求める。
【０１１３】
このようにして求めた間引き画像データについて、最小値との差を２次元ムラ補正データとする。すなわち、求めた間引き画像データについて、最小値を求め、各間引きデータから最小値を減算することにより、２次元ムラ補正データを求めるものである。Ｕp1〜Ｕp5は、このようにして求めた図５に示す間引きデータＫ1〜Ｋ5の２次元ムラ補正データである。以上の操作は輝尽性蛍光体プレート全面に対して行ない、２次元ムラ補正データを求める。このようにして求めた２次元ムラ補正データは、間引きデータメモリ５６に記憶される。
【０１１４】
なお、この間引き画像データは、例えば主走査方向、副走査方向共に例えば５ｍｍに１個程度の割合で求める程度で、かなりの補間精度を維持できることが分かっている。従って、間引きデータメモリ５６の記憶容量を小さくすることができる。
【０１１５】
２次元ムラ補正データＵp1〜Ｕp5が、図５に示すように求まると、各２次元ムラ補正データ間のデータは、補間して求める。補間方法として、例えば図に示すように、Ｕp1とＵp2 間の画素の２次元ムラ補正データを求める場合には、Ｕp1とＵp2 間が直線であるものとして、その間を線形補間することにより、２次元ムラ補正データＵrsを求ることができる。このような補間は、図１の補間データ作成手段５７が行なう。
【０１１６】
（４）装置全体の動作
以上の（１）〜（３）により各種補正データを求めることで画像データを補正する際の一連の動作について、ここで説明を行なう。ここでは、各種補正データの生成の様子を図６以降を参照して説明する。
【０１１７】
▲１▼補正データ作成用画像データとして、被写体を配置しない状態でベタ画像の撮影を行ない、得られた画像データはフレームメモリ１５に格納される。このベタ画像データを「原画像」とする。読み取った画像データには、主走査ムラ、副走査ムラ、ポリゴンムラ、２次元ムラが混在している。
【０１１８】
▲２▼そこで、補正用データ作成手段５２は、「原画像」を主走査方向に平均し、最小平均値との差を主走査方向のムラ補正データである「主走査補正データ」とし、主走査補正データメモリ５３に記憶する（前述の（３−１）参照）。この様子を図６乃至図９に示す。
【０１１９】
▲３▼次に、補正用データ作成手段５２は、「原画像」を偏向した反射面毎に平均化し、最小平均値との差をポリゴンの各反射面毎に補正するデータである「ポリゴン面間補正データ」として（前述の（３−２）の▲２▼参照）、ポリゴン面間補正データメモリ５４ｂに記憶する。この場合のデータ数は、ポリゴンの反射面数となる。この様子を図６と図７とに示す。
【０１２０】
また、「１次補正画像」を偏向した反射面毎に主走査方向に平均し、最小平均値との差をポリゴンの各反射面毎かつ主走査方向の位置毎に補正する補正データである「ポリゴン補正データ」として（前述の（３−２）の▲１▼参照）、ポリゴン補正データメモリ５４ａに記憶する。この時の、補正データ数は、反射面数×主走査画素数となる。この様子を図８と図９とに示す。
【０１２１】
なお、主走査方向に発生するポリゴンの面内反射率ムラは低周波であるため、補正データまたは算出途中のデータを主走査方向にスムージング処理して求めてもよい。
【０１２２】
▲４▼次に、補正用データ作成手段５２は、画像データＸのｙ方向の各行の平均信号値を求め、各行の平均信号値Ｂlから、Ｂlの最小値を引いて差分データＣlを求め、これを「副走査補正データ」として、副走査補正データメモリ５５に記憶する。
【０１２３】
さらに、補正用データ作成手段５２は、この副走査補正データから上述したポリゴン補正データを減算することで、「第２副走査補正データ」を求め、副走査補正データメモリ５５に記憶する。
【０１２４】
このようにすることで、本実施の形態例によれば、第２副走査補正データから、副走査方向に存在するポリゴンの反射面に起因するムラを除去することができる。
【０１２５】
▲５▼補正用データ作成手段５２は、前記「原画像」を「主走査補正データ」で補正し、全域にわたる主走査ムラのない画像データを作成する。この画像データを「１次補正画像」とする。ここで、前述の「副走査補正データ」，「ポリゴン補正データ」は、この「１次補正画像」から算出するようにしてもよい。
【０１２６】
▲６▼また、補正用データ作成手段５２は、「原画像」を「主走査補正データ」あるいは「副走査補正データ」のいずれかで補正した「１次補正画像」について、「副走査補正データ」あるいは「主走査補正データ」のいずれかで補正し、「２次補正画像」とする。
【０１２７】
▲７▼この「２次補正画像」には、輝尽性蛍光体プレート感度ムラやＸ線の照度ムラ以外に、ポリゴンムラをはじめ、Ｘ線モトル（Ｘ線の位置的なゆらぎ）や、輝尽性蛍光体プレート４の欠陥や、ゴミ等の高周波ムラが残っている。
【０１２８】
この高周波ムラを除去するため、２次元的にスムージング（周囲画素との平均化）処理を行ないながら「２次補正画像」の間引きデータを作成し、作成した間引きデータの最小値との差を「２次元補正データ」とし、間引きデータメモリ５６に記憶する（前述の（３−４）参照）。この様子を図７乃至図９に示している。
【０１２９】
なお、図６のように、「主走査補正データ」および「副走査補正データ」で補正された「１次補正画像」から「２次元補正データ」を作成することも可能である。
【０１３０】
▲８▼以上の動作により、主走査補正データメモリ５３には「主走査補正データ」が、副走査補正データメモリ５５には「副走査補正データ」が、ポリゴン補正データメモリ５４ａには「ポリゴン補正データ」が、ポリゴン面間補正データメモリ５４ｂには「ポリゴン面間補正データ」が、間引きデータメモリ５６には「２次元補正データ」がそれぞれ記憶されたことになる。
【０１３１】
以上の場合に、図６に示すように、「原画像」から求めた「副走査補正データ」に、同じく「原画像」から求めた「ポリゴン補正データ」を減算して「第２副走査補正データ」を求めることができる。また、図７に示すように、「１次補正画像」から求めた「副走査補正データ」に、「原画像」から求めた「ポリゴン補正データ」を減算して「第２副走査補正データ」を求めることができる。そして、図８に示すように、「原画像」から求めた「副走査補正データ」に、「１次補正画像」から求めた「ポリゴン補正データ」を減算して「第２副走査補正データ」を求めることができる。さらに、図９に示すように、「１次補正画像」から求めた「副走査補正データ」に、同じく「１次補正画像」から求めた「ポリゴン補正データ」を減算して「第２副走査補正データ」を求めることができる。
【０１３２】
▲９▼この後、切替えスイッチＳＷをＢ側に投入し、被写体画像を輝尽性蛍光体プレート読取部２０で読み取り、Ａ／Ｄ変換器１２でディジタルデータに変換された被写体の画像データを補正回路５１に記憶させる。以上の読み取り操作を繰り返して、輝尽性蛍光体プレート１枚分の読み取り画像データが補正回路５１に記憶される。
【０１３３】
一方、加算手段５８は各データメモリ５３〜５６に記憶されている各種補正データを一挙に加算し、補正データ計算手段５９により所定の処理を経た補正データを順次、画素毎に補正データメモリ６０に記憶させていく。
【０１３４】
この場合において、２次元ムラ補正データは、画素数だけ準備されていないので、２次元ムラ補正データの存在しない点の２次元ムラ補正データは、補間データ作成手段５７により補間して求めて加算手段５８に入力するようになっている。以上の加算操作を画素数だけ繰り返すことにより、補正データメモリ６０には１枚の輝尽性蛍光体プレートの各画素点の補正データが記憶されることになる。
【０１３５】
補正回路５１は、読み込んだ被写体画像データと補正データメモリ６０に記憶されている補正データとの対応をとりながら、被写体画像データから補正データ（全ての補正データの和）を減算する処理を全画素数繰り返す。
【０１３６】
なお、２次元データの補間と各メモリ５３〜５６に記憶されている補正データの加算と補正データ計算手段５９による計算の合計処理速度が、画像データの読み取り速度以下であれば、読み取りを行ないながら各画素点の補正データを作成することが可能であり、その場合には、補正データメモリ６０は不要となる。
【０１３７】
補正回路５１で補正された画像データはフレームメモリ１５に順次格納されていく。このように、本発明によれば、各種のムラをそれぞれ分離して求めるため、主走査ムラ、副走査ムラ、ポリゴンムラ及び２次元ムラの全ての補正を容易に行なうことができる。
【０１３８】
この場合において、ポリゴンで読み取る画像データは、補正データと読み取り画素データの面を一致させることが極めて重要である。例えば、ポリゴンのＥ面（図１２参照）で読み取った画像データを、ポリゴンのＧ面の補正データで補正しても良好なムラ補正を行なうことはできない。ポリゴンのＥ面（図１２参照）で読み取った画像データは、ポリゴンのＥ面の補正データで補正することにより、良好なムラ補正が行なえることになる。
【０１３９】
そこで、ポリゴン面を識別する必要がある。読み取ったポリゴンの面を識別する方法としては、ポリゴンの各反射面にマーカをつけ、反射面を検出する方法や、読み取った画像データを解析することにより反射面を識別する方法等がある。
【０１４０】
上述の実施の形態例において、各画素毎の補正データを求める際には、補正データ量に制限を加えることができる。なお、補正量の制限は主走査ムラ補正データを例にとって説明するが、他の副走査補正データ、ポリゴンムラ補正データ、２次元ムラ補正データについても同様にして補正の制限を行なうことができる。
【０１４１】
例えば、ベタ画像の読み取りデータの主走査方向（ｘ方向）のプロファイル（平均値）として、図１０の（ａ）に示すように、濃度が画面の大部分の領域において概ね平坦であるが左端部で急低下しているものが得られたとすると、主走査ムラ補正データは、最小値（レベル１）で切り出され、（ｂ）に示すようなものとなる。
【０１４２】
このため、補正量を読み取り画像データから減算すると、画像データの実質信号範囲が狭くなるという不都合を生じることがある。そこで、このような場合には、（ｃ）に示すように補正量の切りだしレベルをレベル２まで上げて補正する。
【０１４３】
このようにした場合、画面の端の部分のムラは補正しきれずに残るが、それ以外の面の大部分を占める領域についてはムラが補正されるので、実用上は許容できる。ここで、レベル２の値は、許容できるムラ領域の大きさ、またはムラの値と補正後の実質信号範囲の縮小量とのかねあいによって決められる。
【０１４４】
例えば、許容できるムラ領域の大きさは、面の全画素数に対するムラ領域の画素数の割合によって規定することができる。すなわち、この比率が所定値を越えないようにレベル２を決めるのである。これによれば、比較的単純なアルゴリズムによりレベル２、すなわち補正の制限量を決めることができる。
【０１４５】
また、上述の実施の形態例では、ある画素サイズで画像を読み取る場合を示したが、本発明はこれに限るものではない。読み取り画素サイズが変更可能な場合には、上記補正データを複数の画素サイズ毎に求め、メモリに記憶しておき、実際の撮影時の読み取り画素サイズに合わせて最適な補正データを用いてムラ補正を行なうようにすることができる。
【０１４６】
また、ポリゴンの面数も上述した１０面に限るものではなく、任意の面数を用いることができる。
また、以上の実施の形態例の動作説明では、主走査補正データ，第２副走査補正データ，ポリゴン補正データ，２次元補正データの全てを用いてムラ補正を行なうようにしていたが、少なくとも、ポリゴン補正データによりポリゴンムラ補正を行った第２副走査補正データを用いてムラ補正を行えばよい。
【０１４７】
なお、以上の実施の形態例の説明において、最終的なムラ補正に用いる補正データを得るための計算に用いた各種データは、少なくとも計算の際に存在していればよい。したがって、計算が済んでしまえば不要であり、必ずしも記憶しておく必要はない。
【０１４８】
【発明の効果】
以上、詳細に説明したように、本発明では、副走査補正データに対してポリゴンムラ補正を行っているので、ポリゴンムラの影響の無い第２副走査補正データを得ることができる。
【０１４９】
したがって、補正データ作成に必要な演算回数が大幅に減り、演算時間の短縮ができるとともに、ポリゴン補正データと、ポリゴンムラの除去された第２副走査補正データとにより画像データを補正することで、正確なムラ補正を行なうことができる。
【図面の簡単な説明】
【図１】本発明の一実施の形態例を示すブロック図である。
【図２】本発明の実施の形態例の輝尽性蛍光体プレート読取部の構成例を示す図である。
【図３】本発明の実施の形態例の画像データの画素配置例を示す図である。
【図４】本発明の実施の形態例のベタ画像と補正データ作成の説明図である。
【図５】本発明の実施の形態例の間引き画像データと補間方法の説明図である。
【図６】本発明の実施の形態例における各種補正データの生成の様子を示す説明図である。
【図７】本発明の実施の形態例における各種補正データの生成の様子を示す説明図である。
【図８】本発明の実施の形態例における各種補正データの生成の様子を示す説明図である。
【図９】本発明の実施の形態例における各種補正データの生成の様子を示す説明図である。
【図１０】補正データに制限を加える場合の説明図である。
【図１１】輝尽性蛍光体プレートへの画像の記録方法の模式図である。
【図１２】ポリゴンミラーの面による読み取り信号の相違と輝尽性蛍光体プレートにおける２次元ムラを示す図である。
【図１３】従来における各種補正データの生成の様子を示す説明図である。
【図１４】従来における各種補正データの生成の様子を示す説明図である。
【図１５】補正によってもポリゴンムラが残こる様子を示す説明図である。
【図１６】補正によってもポリゴンムラが残こる様子を示す説明図である。
【図１７】補正によってもポリゴンムラが残こる様子を示す説明図である。
【符号の説明】
１  Ｘ線源
２  絞り
３  被写体
４  輝尽性蛍光体プレート
５  集光器
６  フォトマル
７  電源
８  アンプ
９  ログアンプ
１０  フィルタ
１１  サンプルールド回路
１２  Ａ／Ｄ変換器
１３  レーザ光源
１４  タイミング回路
１５  フレームメモリ
１６  コントローラ
１７  プリンタ・自現機
３２  ポリゴン走査機構
５０  補正手段
５１  補正回路
５２  補正用データ作成手段
５３  走査補正データメモリ
５４ａ  ポリゴン補正データメモリ
５４ｂ  ポリゴン面間補正データメモリ
５５  副走査補正データメモリ
５６  間引きデータメモリ
５７  補間データ作成手段
５８  加算手段
５９  補正データ計算手段
６０  補正データメモリ
【図１】
0003738555.tif 000010
【図２】
0003738555.tif 000011
【図３】
0003738555.tif 000012
【図４】
0003738555.tif 000013
【図５】
0003738555.tif 000014
【図６】
0003738555.tif 000015
【図７】
0003738555.tif 000016
【図８】
0003738555.tif 000017
【図９】
0003738555.tif 000018
【図１０】
0003738555.tif 000019
【図１１】
0003738555.tif 000020
【図１２】
0003738555.tif 000021
【図１３】
0003738555.tif 000022
【図１４】
0003738555.tif 000023
【図１５】
0003738555.tif 000024
【図１６】
0003738555.tif 000025
【図１７】
0003738555.tif 000026